(57)【特許請求の範囲】
【請求項１】
伝送ユニットと、複数の監視用端末器及び制御用端末器とを１対の伝送線を介して接続し、伝送ユニットから多重伝送信号を伝送して各端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして伝送ユニットへ返信させ、監視用端末器に対しては接続された操作スイッチの操作データを多重伝送信号に設けた返信待機期間中に監視データとして伝送ユニットへ返信させる多重伝送系を構築し、伝送ユニットには、一括制御用のスイッチに割り当てた一括制御アドレスと、当該スイッチの操作に応じて制御される複数の負荷のアドレスとを対応付けた対応表が設定された遠隔監視制御システムにおいて、
Ｗｅｂサーバ機能を有しＩＰネットワークを介してクライアント端末に接続されるＷｅｂサーバユニットと、伝送線に接続されて多重伝送系との間で多重伝送信号を送受信するとともにローカルバスに接続されてローカルバスを通じた通信を行うローカルインタフェースユニットと、Ｗｅｂサーバユニットに接続されるとともにローカルバスを介してローカルインタフェースユニットに接続され、Ｗｅｂサーバユニットから多重伝送系の監視制御の実行依頼を受けるとローカルインタフェースユニットを介して多重伝送系の監視／制御を実行するネットワークコントローラとを備えて、クライアント端末からＷｅｂサーバユニット、ネットワークコントローラおよびローカルインタフェースユニットを介して多重伝送系の制御又は監視を行うとともに、
Ｗｅｂサーバユニットに、複数の一括制御アドレスをまとめて制御する際に用いるマスタ制御アドレスと対応付けられた一括制御アドレスの設定データを記憶するデータベースと、制御対象の制御アドレスと制御時間と制御状態とを少なくとも含むスケジュール情報が設定され、スケジュール情報で設定された制御時間になると制御対象を所定の制御状態で制御させるための制御依頼を出力するスケジュール処理機能と、クライアント端末又はスケジュール処理機能からの制御依頼を受け、制御アドレスがマスタ制御アドレスの場合はデータベースを参照して制御対象のアドレスを取得するとともに、ネットワークコントローラに対して制御対象のアドレスに対する制御内容の実行を依頼するＮＣＵ処理機能とが設けられ、
スケジュール処理機能は、マスタ制御アドレスを制御アドレスとしたスケジュール情報の制御内容のうち一部の一括制御アドレスに対する制御内容が変更追加されると、当該一部の一括制御アドレスに対する一時スケジュール情報を作成し、一時スケジュール情報で設定された制御時間になると制御対象を所定の制御状態で制御させる制御依頼をＮＣＵ処理機能に依頼するとともに、変更前の前記スケジュール情報のマスタ制御アドレスに対応付けられた一括制御アドレスのうち、前記一部の一括制御アドレスを除いた一括制御アドレスに対しては、変更前のスケジュール情報に基づいた制御内容の制御依頼をＮＣＵ処理機能に出力することを特徴とする遠隔監視制御システム。
【請求項２】
前記Ｗｅｂサーバユニットは、マスタ制御アドレスを制御アドレスとしたスケジュール情報の制御内容のうち一部の一括制御アドレスに対する制御内容が変更されると、データベースに設定された当該マスタ制御アドレスの設定データから制御内容が変更された一括制御アドレスを除くとともに、前記一部の一括制御アドレスに対する一時スケジュール情報に応じた制御内容の制御依頼をＮＣＵ処理機能に出力すると、変更されたマスタ制御アドレスの設定データを変更前の状態に戻すことを特徴とする請求項１記載の遠隔監視制御システム。
【請求項３】
前記Ｗｅｂサーバユニットは、マスタ制御アドレスを制御アドレスとしたスケジュール情報の制御内容のうち一部の一括制御アドレスに対する制御内容が変更されると、当該マスタ制御アドレスの設定データから前記一部の一括制御アドレスを除いた代替マスタ制御アドレスを作成してデータベースに記憶させ、前記マスタ制御アドレスを制御アドレスとする前記スケジュール情報を無効にする一時スケジュール情報と、制御時間及び制御状態が前記スケジュール情報と同じで制御アドレスを前記代替マスタ制御アドレスとした一時スケジュール情報を作成し、前記一部の一括制御アドレスに対する一時スケジュール情報に応じた制御内容の制御依頼をＮＣＵ処理機能に出力すると、前記代替マスタ制御アドレスをデータベースから削除するとともに、前記一時スケジュール情報により前記マスタ制御アドレスを制御アドレスとする前記スケジュール情報を有効にすることを特徴とする請求項１記載の遠隔監視制御システム。
【請求項４】
前記Ｗｅｂサーバユニットは、マスタ制御アドレスを制御アドレスとしたスケジュール情報の制御内容のうち一部の一括制御アドレスに対する制御内容が変更されると、当該マスタ制御アドレスの設定データから前記一部の一括制御アドレスを除いた代替マスタ制御アドレスを作成してデータベースに記憶させるとともに、ＮＣＵ処理機能に対して、前記マスタ制御アドレスに対する制御依頼が入力された場合はデータベースからマスタ制御アドレスの代わりに代替マスタ制御アドレスを参照させるよう設定し、前記一部の一括制御アドレスに対する一時スケジュール情報に応じた制御内容の制御依頼をＮＣＵ処理機能に出力すると、前記代替マスタ制御アドレスをデータベースから削除するとともに、前記ＮＣＵ処理機能に行った代替マスタ制御アドレスの参照設定を削除することを特徴とする請求項１記載の遠隔監視制御システム。
【請求項５】
Ｗｅｂサーバユニットは、前記一部の一括制御アドレスに対して制御内容の変更を入力する際に、当該一部の一括制御アドレスを対象とする１乃至複数のマスタ制御アドレスを表示するとともに、１乃至複数のマスタ制御アドレスのそれぞれについて前記一部の一括制御アドレスを除くか否かを選択するためのＷｅｂ画面をクライアント端末に表示させることを特徴とする請求項１乃至４の何れか１項に記載の遠隔監視制御システム。
【発明の詳細な説明】
【技術分野】
【０００１】
本発明は、遠隔監視制御システムに関するものである。
【背景技術】
【０００２】
従来、時分割多重伝送で負荷の制御及び監視を行なう遠隔監視制御システムがある。この遠隔監視制御システムは図１３に示すように伝送ユニット１と、壁スイッチのような操作スイッチ４の操作監視を行なう複数の監視用端末器３と、照明負荷のような負荷５を制御する複数の制御用端末器２とを２線式の伝送線Ｌ１を介して接続して構成される。
【０００３】
このような遠隔監視制御システムでは、伝送ユニット１から図１４（ａ）に示すような形式を有した伝送信号Ｖｓを送出することにより、各端末器２，３との間でデータを授受する。すなわち、伝送信号Ｖｓは、信号の送出開始を示すスタートパルスＳＴ、信号のモードを示すモードデータＭＤ、アドレスデータＡＤ、負荷を制御する制御データＣＤ、伝送誤りを検知するチェックサムデータＣＳ、返信データの返信待機期間を設定する返信信号期間ＷＴよりなる複極（±２４Ｖ）の時分割多重信号であり、パルス幅変調によってデータが伝送されるようになっている。
【０００４】
各端末器２，３では、それぞれ伝送線Ｌ１を介して受信した伝送信号Ｖｓにより伝送されたアドレスデータＡＤがあらかじめ設定されている自己のアドレスに一致すると、伝送信号Ｖｓから制御データＣＤを取り込むとともに、伝送信号Ｖｓの返信信号期間ＷＴにデータを電流モード信号（伝送線Ｌ１を適当な低インピーダンスを介して短絡することにより送出される信号）として返信する。
【０００５】
伝送ユニット１から所望の端末器２，３にデータを伝送する場合には、モードデータＭＤを制御モードとし、端末器２，３のアドレスをアドレスデータＡＤとする伝送信号Ｖｓを送出し、この伝送信号Ｖｓを伝送線Ｌ１に送出すれば、アドレスデータＡＤに一致する端末器２，３が制御データＣＤを受け取り、制御データＣＤにパリティビットを付加した信号を返信信号期間ＷＴに返信する。伝送ユニット１では送出した信号と返信信号期間ＷＴにおける受信信号との一致によって制御データＣＤが所望の端末器２，３に伝送されたことを確認する。監視用端末器３や制御用端末器２は受け取った制御データＣＤに従って制御動作を行う。
【０００６】
一方、伝送ユニット１は常時はモードデータＭＤをダミーモード或いは常時ポーリングとしてダミー用のアドレス又は接続されている全端末器のアドレスに伝送信号Ｖｓを一定時間間隔で送出しており、端末器２，３が伝送ユニット１に対して何らかの情報を伝送しようとするときには、ダミーモード或いはポーリング中の伝送信号ＶｓのスタートパルスＳＴに同期させて図１４（ｂ）のような割込信号Ｖｉを発生させる。このとき、端末器２，３は割込フラグを設定して伝送ユニット１との以後の情報の授受に備える。伝送ユニット１では割込信号を受信すると、モードデータＭＤを割込ポーリングモードとし、且つアドレスデータＡＤの上位の半数のビット（アドレスデータＡＤを８ビットとすれば上位４ビット）を順次増加させながら伝送信号を送出する。割込信号Ｖｉを発生した端末器２，３では、割込ポーリングモードの伝送信号Ｖｓに含まれるアドレスデータＡＤの上位４ビットが自己のアドレスの上位４ビットに一致するときに、返信信号期間ＷＴにアドレスの下位の半数のビットを伝送ユニット１に返信する。このように、伝送ユニット１は割込信号Ｖｉを発生した端末器２，３を１６個ずつまとめて探すので、比較的短い時間で端末器２，３を発見することができる。伝送ユニット１が割込信号を発生した端末器２，３のアドレスを獲得すると、モードデータＭＤを監視モードとし、獲得したアドレスデータＡＤを持つ伝送信号Ｖｓを伝送線Ｌ１に送出し、これに対して端末器２，３は伝送しようとする情報を返信信号期間ＷＴに返信するのである。最後に、伝送ユニット１は割込信号を発生した端末器２，３に対して割込リセットを指示する信号を送出し、端末器２，３の割込フラグを解除する。以上のようにして、端末器２，３から伝送ユニット１への情報伝送は、伝送ユニット１から端末器２，３への４回の信号伝送（ダミーモード、割込ポーリングモード、監視モード、割込リセット）によって完了する。伝送ユニット１が所望の端末器２，３の動作状態を知ろうとするときには、モードデータＭＤを監視データとした伝送信号を送出するだけでよい。
【０００７】
而して、伝送ユニット１では、監視用端末器３に設けた操作スイッチ４が操作されると、監視用端末器３から返信された監視データに基づいて、操作スイッチ４との対応関係があらかじめ設定されている制御用端末器２に伝送する制御データＣＤを生成し、その制御データＣＤを含む伝送信号Ｖｓを伝送線Ｌ１に送出することによって、対応する制御用端末器２に制御データＣＤを伝送し、制御用端末器２により、負荷５への電源供給をオン／オフするリモコンリレー６の動作を制御させる。
【０００８】
また、制御用端末器２は負荷５（リモコンリレー６）の動作状態を示す監視データを伝送ユニット１へ返信させるようになっており、伝送ユニット１はこの監視データに基づいて対応する監視用端末器３に対して操作スイッチ４に付設している動作モニタ用のＬＥＤ（図示せず）を点灯／消灯させる制御データＣＤを伝送し、この制御データＣＤを受け取った監視用端末器３では制御データに基づいて対応する操作スイッチ４に付設してある動作モニタ用のＬＥＤを点灯又は消灯させることにより、負荷５のオン状態又はオフ状態を表示する。
【０００９】
このような遠隔監視制御システムでは、操作スイッチ４と、操作対象の負荷５に対応するリモコンリレー６とのアドレス（端末器のアドレスと操作スイッチ４又はリモコンリレー６に割り付けた負荷番号との組み合わせ）の対応関係を伝送ユニット１で管理しているから、伝送ユニット１において１回路の操作スイッチ４のアドレスに対して複数回路のリモコンリレー６のアドレスを対応付けておけば、１回路の操作スイッチ４で複数回路のリモコンリレー６（負荷５）を一括して制御することが可能である。このような一括制御にはグループ制御とパターン制御とがある。グループ制御では複数のリモコンリレー６を同じ制御状態で動作（オン又はオフ）させ、パターン制御では複数のリモコンリレー６をあらかじめ設定した制御状態に制御する。伝送ユニット１には、パターン制御用の操作スイッチ４のアドレスに複数のリモコンリレー６のアドレスを対応させたアドレス対応表が用意されており、このアドレスをパターン制御アドレスと呼ぶ。また伝送ユニット１には、グループ制御用の操作スイッチ４のアドレスに複数のリモコンリレー６のアドレスを対応させたアドレス対応表も用意され、このアドレスをグループ制御アドレスと呼ぶ。而して伝送ユニット１では、監視用端末器３から監視データとしてパターン制御アドレス又はグループ制御アドレスを受け取ると、上記のアドレス対応表を参照して対応する複数のリモコンリレー６のパターン制御又はグループ制御を行うようになっている。また、例えば特許文献１に示されるように、運転開始時刻と制御情報からなるスケジュール情報を伝送ユニットに予め登録しておき、伝送ユニットでは、現在時刻が運転開始時刻になると、対応する制御情報を該当する制御用端末器に送信し、制御用端末器が予め登録されたスケジュール情報にしたがって負荷を制御するようにしたシステムも従来提案されている。
【００１０】
ところで、上述のような多重伝送系を複数構築し、複数の多重伝送系を上位システムに接続して、上位システムから各多重伝送系の監視、制御を行ったり、複数の多重伝送系を連動して動作させるようにしたシステムもあり、この種の大規模システムでは、図１５に示すように複数（図１５の例では２系統）の多重伝送系Ｎ１，Ｎ２に、多重伝送系のインターフェース機能と、ローカルバスとのインターフェース機能とを具備したローカルインタフェースユニット（以下、ＬＩＵと称す。）７をそれぞれ設け、ローカルバスを制御するとともに、上位のＷｅｂサーバユニット９との間で通信を行うインターフェース機能を備えたネットワークコントローラ（以下、ＮＣＵと称す。）８と、各多重伝送系Ｎ１，Ｎ２…のＬＩＵ６とをローカルバスＬ２を介して接続してローカルバスを構築している。そして、Ｗｅｂブラウザを搭載したコンピュータからなる中央監視装置１０が、インターネット又はイントラネットのような通信ネットワークＮＴを介してＷｅｂサーバユニット９に接続され、各多重伝送系の監視或いは制御を行えるようになっている。
【００１１】
この従来システムでは、下位ネットワークを構成する多重伝送系Ｎ１，Ｎ２…に連動関係（パターン制御アドレス及びグループ制御アドレス）を持たせて、複数の多重伝送系Ｎ１，Ｎ２…に亘るパターン制御・グループ制御を可能としている。またＷｅｂサーバユニット９には、複数のパターン制御アドレス又はグループ制御アドレスをまとめて制御するために、多重伝送系Ｎ１，Ｎ２…の複数のパターン制御アドレスに対応付けられたマスタパターン制御アドレスや、複数のグループ制御アドレスに対応付けられたマスタグループ制御アドレスが用意されており、複数のパターン制御アドレスとマスタパターン制御アドレスとの対応関係を示すテーブルや、複数のグループ制御アドレスとマスタグループ制御アドレスとの対応関係を示すテーブルを用いて、複数グループのリモコンリレーのパターン制御やグループ制御が行えるようになっている。
【００１２】
ここで、多重伝送系Ｎ２の負荷５として、図１６に示すように建物の同一フロア内にある複数台の照明負荷Ｉ０１〜Ｉ２５を制御する場合を想定して説明を行う。複数台の照明負荷Ｉ０１〜Ｉ２５はマトリクス状に配置されており、実線で囲んだ範囲をそれぞれ１つのグループ（Ｇ１〜Ｇ５）として、グループ制御の対象にするとともに、破線で囲んだ範囲（ＭＧ１）をマスタグループ制御の対象としている。図１７（ａ）は伝送ユニット１に設定されたグループ制御の設定を示す設定表ＴＢ１であり、グループＮｏ１〜５にそれぞれ対応する照明負荷Ｉ０１〜Ｉ２５（実際にはリモコンリレー６のアドレス）が登録されている。例えばグループ制御アドレスＧ１には４つの照明負荷Ｉ０１，Ｉ０２，Ｉ０６，Ｉ０７が登録されている。また図１７（ｂ）はＷｅｂサーバユニット９に設定されたマスタグループ制御の設定を示す設定表ＴＢ２であり、マスタグループＮｏに対応する制御グループＮｏが登録されている。例えばマスタグループ制御アドレスＭＧ１にはグループ制御アドレスＧ１〜Ｇ５が登録されている。
【００１３】
またＷｅｂサーバユニット９には、制御アドレス（個別のアドレス単位、パターン制御／グループ制御のアドレス単位、マスタパターン制御／マスタグループ制御のアドレス単位）に対応付けて動作時刻および制御方式が設定されたスケジュール機能設定表を持たせることができ、このスケジュール機能設定表にしたがって、対応する多重伝送系Ｎ１，Ｎ２…の伝送ユニット１により、予め設定された動作時刻に所定の負荷を所定の制御状態に制御することができ、例えば人がいない時間帯（店舗の閉店時間帯など）に不要な照明負荷を消灯させることで、消費電力を低減することができる。ここで、図１８（ａ）はスケジュール機能設定表ＴＢ３の一例を示しており、例えばスケジュールＮｏ．１では、制御対象のグループ制御アドレスＧ１を月曜日から金曜日まで１０：００にオンさせ、２０：００にオフさせるような制御情報が設定させている。
【００１４】
また更に、所望の制御アドレスを上記設定表ＴＢ３に設定されたスケジュールとは異なるスケジュールで一時的に動作させたい場合があり、このような場合にはＷｅｂサーバユニット９に、当日から７日後までの間で、１回限りの一時スケジュール情報（制御対象のアドレス、制御時間および制御方式などからなる）を追加設定すれば、スケジュール機能設定表ＴＢ３で設定された定常的なスケジュール情報の制御内容を変更したり、スケジュールの追加などを行うことができる。図１８（ｂ）は一時スケジュール機能設定表ＴＢ４の一例を示し、例えばスケジュールＮｏ．１では、制御対象のグループ制御アドレスＧ１を１０：００にオンさせ、２２：００にオフさせるような制御情報が設定させており、グループＧ１の制御時間を２０：００から２２：００に延長することが可能になる。
【特許文献１】特開２００１−２７５１７０号公報
【発明の開示】
【発明が解決しようとする課題】
【００１５】
上述の遠隔監視制御システムでは、Ｗｅｂサーバユニット９に持たせたスケジュール機能設定表ＴＢ３に対して、図１９（ａ）に示すように比較的広い範囲（例えばマスタグループ制御アドレスのレベル）でスケジュール情報を設定した場合、スケジュール機能設定表ＴＢ３に設定されるスケジュール情報の数は少なくて済むから、設定作業や変更作業の手間は少なくなるが、一部の範囲（例えばグループＧ１）だけ省電力のために制御時間を短縮したい場合でも、図１９（ｂ）の一時スケジュール機能設定表ＴＢ４に示すように広い範囲（スケジュール機能設定表ＴＢ３に設定された範囲）でしかスケジュール情報を変更することができず、比較的狭い範囲でスケジュール情報の変更や追加を行うことができないため、きめ細かな節電効果が得られないという問題があった。
【００１６】
一方、Ｗｅｂサーバユニット９に持たせたスケジュール機能設定表ＴＢ３に対して、図２０（ａ）（ｂ）に示すように比較的狭い範囲（例えばグループ制御アドレスのレベル）でスケジュール情報を設定した場合、各グループＧ１…内の負荷Ｉ０１…の使用状況に合わせて、グループ毎にスケジュール情報を設定できるから、より省電力の効果が得られるが、スケジュール機能設定表ＴＢ３に設定されるスケジュール情報の数が増えるから、設定作業や変更作業の手間が増加するという問題があった。またＷｅｂサーバユニット９は、組み込み形のＷｅｂサーバを備えたコントローラで構成されるため、設定可能なデータ容量にも制約があった。
【００１７】
そのため、従来の遠隔監視制御システムでは、制御対象の照明負荷が設置された建物の規模やその使用方法に応じて、スケジュール制御の制御対象をどの程度の範囲（すなわち制御アドレスのレベル）で設定するかを適宜決めていたが、定常的なスケジュール情報が設定された範囲に比べて、相対的に狭い一部の範囲について一時的なスケジュールの変更や追加に容易に対応できないという問題があった。
【００１８】
本発明は上記問題点に鑑みて為されたものであり、その目的とするところは、定常的なスケジュール情報が設定された制御対象の範囲に比べて、相対的に狭い一部の範囲について一時的なスケジュールの変更や追加に容易に対応できる遠隔監視制御システムを提供することにある。
【課題を解決するための手段】
【００１９】
上記目的を達成するために、請求項１の発明は、伝送ユニットと、複数の監視用端末器及び制御用端末器とを１対の伝送線を介して接続し、伝送ユニットから多重伝送信号を伝送して各端末器をアクセスし、制御用端末器には対応する監視用端末器に接続された操作スイッチの操作データに基づく負荷の制御内容を制御アドレスとして与えるとともに、制御アドレスに対する制御結果を多重伝送信号に設けた返信待機期間中に監視データとして伝送ユニットへ返信させ、監視用端末器に対しては接続された操作スイッチの操作データを多重伝送信号に設けた返信待機期間中に監視データとして伝送ユニットへ返信させる多重伝送系を構築し、伝送ユニットには、一括制御用のスイッチに割り当てた一括制御アドレスと、当該スイッチの操作に応じて制御される複数の負荷のアドレスとを対応付けた対応表が設定された遠隔監視制御システムにおいて、Ｗｅｂサーバ機能を有しＩＰネットワークを介してクライアント端末に接続されるＷｅｂサーバユニットと、伝送線に接続されて多重伝送系との間で多重伝送信号を送受信するとともにローカルバスに接続されてローカルバスを通じた通信を行うローカルインタフェースユニットと、Ｗｅｂサーバユニットに接続されるとともにローカルバスを介してローカルインタフェースユニットに接続され、Ｗｅｂサーバユニットから多重伝送系の監視制御の実行依頼を受けるとローカルインタフェースユニットを介して多重伝送系の監視／制御を実行するネットワークコントローラとを備えて、クライアント端末からＷｅｂサーバユニット、ネットワークコントローラおよびローカルインタフェースユニットを介して多重伝送系の制御又は監視を行うとともに、Ｗｅｂサーバユニットに、複数の一括制御アドレスをまとめて制御する際に用いるマスタ制御アドレスと対応付けられた一括制御アドレスの設定データを記憶するデータベースと、制御対象の制御アドレスと制御時間と制御状態とを少なくとも含むスケジュール情報が設定され、スケジュール情報で設定された制御時間になると制御対象を所定の制御状態で制御させるための制御依頼を出力するスケジュール処理機能と、クライアント端末又はスケジュール処理機能からの制御依頼を受け、制御アドレスがマスタ制御アドレスの場合はデータベースを参照して制御対象のアドレスを取得するとともに、ネットワークコントローラに対して制御対象のアドレスに対する制御内容の実行を依頼するＮＣＵ処理機能とが設けられ、スケジュール処理機能は、マスタ制御アドレスを制御アドレスとしたスケジュール情報の制御内容のうち一部の一括制御アドレスに対する制御内容が変更されると、当該一部の一括制御アドレスに対する一時スケジュール情報を作成し、一時スケジュール情報で設定された制御時間になると制御対象を所定の制御状態で制御させる制御依頼をＮＣＵ処理機能に依頼するとともに、変更前のスケジュール情報のマスタ制御アドレスに対応付けられた一括制御アドレスのうち、一部の一括制御アドレスを除いた一括制御アドレスに対しては、変更前のスケジュール情報に基づいた制御内容の制御依頼をＮＣＵ処理機能に出力することを特徴とする。
【００２０】
請求項２の発明は、請求項１の発明において、Ｗｅｂサーバユニットは、マスタ制御アドレスを制御アドレスとしたスケジュール情報の制御内容のうち一部の一括制御アドレスに対する制御内容が変更されると、データベースに設定された当該マスタ制御アドレスの設定データから制御内容が変更された一括制御アドレスを除くとともに、一部の一括制御アドレスに対する一時スケジュール情報に応じた制御内容の制御依頼をＮＣＵ処理機能に出力すると、変更されたマスタ制御アドレスの設定データを変更前の状態に戻すことを特徴とする。
【００２１】
請求項３の発明は、請求項１の発明において、Ｗｅｂサーバユニットは、マスタ制御アドレスを制御アドレスとしたスケジュール情報の制御内容のうち一部の一括制御アドレスに対する制御内容が変更されると、当該マスタ制御アドレスの設定データから一部の一括制御アドレスを除いた代替マスタ制御アドレスを作成してデータベースに記憶させ、マスタ制御アドレスを制御アドレスとするスケジュール情報を無効にする一時スケジュール情報と、制御時間及び制御状態がスケジュール情報と同じで制御アドレスを代替マスタ制御アドレスとした一時スケジュール情報を作成し、一部の一括制御アドレスに対する一時スケジュール情報に応じた制御内容の制御依頼をＮＣＵ処理機能に出力すると、代替マスタ制御アドレスをデータベースから削除するとともに、一時スケジュール情報によりマスタ制御アドレスを制御アドレスとするスケジュール情報を有効にすることを特徴とする。
【００２２】
請求項４の発明は、請求項１の発明において、Ｗｅｂサーバユニットは、マスタ制御アドレスを制御アドレスとしたスケジュール情報の制御内容のうち、マスタ制御アドレスに対応付けられた一部の一括制御アドレスに対する制御内容が変更されると、当該マスタ制御アドレスの設定データから一部の一括制御アドレスを除いた代替マスタ制御アドレスを作成してデータベースに記憶させるとともに、ＮＣＵ処理機能に対して、マスタ制御アドレスに対する制御依頼が入力された場合はデータベースからマスタ制御アドレスの代わりに代替マスタ制御アドレスを参照させるよう設定し、一部の一括制御アドレスに対する一時スケジュール情報に応じた制御内容の制御依頼をＮＣＵ処理機能に出力すると、代替マスタ制御アドレスをデータベースから削除するとともに、ＮＣＵ処理機能に行った代替マスタ制御アドレスの参照設定を削除することを特徴とする。
【００２３】
請求項５の発明は、請求項１乃至４の何れか１つの発明において、Ｗｅｂサーバユニットは、一部の一括制御アドレスに対して制御内容の変更を入力する際に、当該一部の一括制御アドレスを対象とする１乃至複数のマスタ制御アドレスを表示するとともに、１乃至複数のマスタ制御アドレスのそれぞれについて一部の一括制御アドレスを除くか否かを選択するためのＷｅｂ画面をクライアント端末に表示させることを特徴とする。
【発明の効果】
【００２４】
請求項１の発明によれば、Ｗｅｂサーバユニットのスケジュール処理機能には、マスタ制御アドレスを制御アドレスとするスケジュール情報を設定できるので、比較的広範囲の制御対象についてスケジュール情報を設定することによって、スケジュール情報の数を少なくでき、設定や変更の手間を低減するとともに、スケジュール情報を記憶するのに必要な記憶容量を削減することができる。しかも、マスタ制御アドレスに対応付けられた一括制御アドレスのうち、一部の一括制御アドレスに対する制御内容が変更された場合、一部の一括制御アドレスに対しては変更内容に応じた一時スケジュール情報を作成して、一時スケジュール情報にしたがったスケジュール制御を行うと共に、残りの一括制御アドレスに対しては変更前のスケジュール情報にしたがったスケジュール制御を行うので、定常的なスケジュール情報が設定された制御対象の範囲（マスタ制御アドレス）に比べて、相対的に狭い一部の範囲（一括制御アドレス）について一時的なスケジュールの変更や追加に容易に対応できるという効果もある。
【００２５】
請求項２の発明によれば、マスタ制御アドレスの設定データから制御内容の変更された一部の一括制御アドレスを除くことで、一部の一括制御アドレスに対する制御内容の変更や追加に容易に対応することができる。
【００２６】
請求項３の発明によれば、マスタ制御アドレスの設定は変更しないため、クライアント端末からマスタ制御アドレスを制御アドレスとする制御依頼が入力された場合には、制御内容が変更された一部の一括制御アドレスも含めて、データベースに設定された通りのマスタ制御アドレスに対する制御を実行することができる。
【００２７】
請求項４の発明によれば、一時スケジュール情報の追加、変更が少なくて済み、一時スケジュール情報を記憶するための記憶領域の使用が少なくなるから、より多くの一括制御アドレスについて一時的なスケジュールの変更や追加に対応することができる。
【００２８】
請求項５の発明によれば、クライアント端末から所望の一括制御アドレスに対する制御内容を変更する際に、この一括制御アドレスを対象とするマスタ制御アドレスを表示するとともに、マスタ制御アドレスから除くか否かを選択させるためのＷｅｂ画面がクライアント端末に表示されるので、制御内容を変更する一括制御アドレスがどのマスタ制御アドレスの対象であるかを容易に把握でき、制御内容の変更によって実際にどのような制御が行われるかを理解しやすくできる。また制御内容を変更した一括制御アドレスが複数のマスタ制御アドレスの対象である場合は、それぞのマスタ制御アドレスから制御内容を変更した一括制御アドレスを除くか否かを選択できるので、使い勝手が向上するという効果もある。
【発明を実施するための最良の形態】
【００２９】
以下に本発明の実施の形態を図面に基づいて説明する。
【００３０】
（実施形態１）
本発明の実施形態１を図１〜図３に基づいて説明する。本実施形態の遠隔監視制御システムは、図１５で説明した遠隔監視制御システムと同様の構成を備えており、複数系統（図１の例では２系統）の多重伝送系Ｎ１，Ｎ２に、多重伝送系のインターフェース機能と、ローカルバスとのインターフェース機能とを具備したローカルインタフェースユニット（以下、ＬＩＵと称す。）７をそれぞれ設け、ローカルバスを制御するとともに、上位のＷｅｂサーバユニット９との間で通信を行うインターフェース機能を備えたネットワークコントローラ（以下、ＮＣＵと称す。）８と、各多重伝送系Ｎ１，Ｎ２…のＬＩＵ６とをローカルバスＬ２を介して接続してローカルバスを構築している。そして、Ｗｅｂブラウザを搭載したコンピュータからなる中央監視装置１０が、インターネット又はイントラネットのような通信ネットワークＮＴを介してＷｅｂサーバユニット９に接続され、各多重伝送系Ｎ１，Ｎ２…の監視或いは制御を行えるようになっている。
【００３１】
ここで、各系統の多重伝送系Ｎ１，Ｎ２…は、伝送ユニット１と、壁スイッチのような操作スイッチ４の操作監視を行なう複数の監視用端末器３と、照明負荷のような負荷５を制御する複数の制御用端末器２とを２線式の伝送線Ｌ１を介して接続して構成される。尚、図１では伝送線Ｌ１に監視用端末器３および制御用端末器２を１台ずつしか接続していないが、伝送線Ｌ１に複数台の監視用端末器３及び制御用端末器２を接続しても良い。
【００３２】
各端末器２，３には個別のアドレスが割り当てられており、伝送ユニット１からアドレスを含む多重伝送信号を伝送することによって各端末器２，３にアクセスし、制御用端末器２には対応する監視用端末器３に接続された操作スイッチ４の操作データに基づく負荷５の制御内容を制御アドレスとして与えるとともに、制御アドレスに対する制御結果を多重伝送信号に設けた返信待機期間中に監視データとして伝送ユニット１へ返信させ、監視用端末器３に対しては接続された操作スイッチ４の操作データを多重伝送信号に設けた返信待機期間中に監視データとして伝送ユニット１へ返信させている。尚、各多重伝送系Ｎ１，Ｎ２…の監視制御動作は図１３及び図１４を参照して説明した従来システムの動作と同様であるので、詳細な説明については省略する。
【００３３】
ＬＩＵ７は、伝送線Ｌ１に接続されて多重伝送系との間で多重伝送信号を送受信するとともに、ローカルバスＬ２に接続されて、ローカルバスを通じた通信を行う。
【００３４】
ＮＣＵ８は、Ｗｅｂサーバユニット９に接続されるとともに、ローカルバスＬ２を介してＬＩＵ７に接続され、Ｗｅｂサーバユニット９から多重伝送系の監視制御の実行依頼を受けるとＬＩＵ７を介して多重伝送系Ｎ１，Ｎ２…の監視／制御を実行する。
【００３５】
Ｗｅｂサーバユニット９は、Ｗｅｂサーバ機能を有し、インターネットやイントラネットといったＩＰネットワークＮＴを介してクライアント端末（中央監視装置１０）に接続されている。而してクライアント端末である中央監視装置１０から、Ｗｅｂサーバユニット９、ＮＣＵ８およびＬＩＵ７を介して多重伝送系Ｎ１，Ｎ２の制御又は監視を行うことができるようになっている。
【００３６】
またＷｅｂサーバユニット９は、複数の一括制御アドレス（グループ制御アドレス及びパターン制御アドレス）をまとめて制御する際に用いるマスタ制御アドレス（マスタグループ制御アドレス及びマスタパターン制御アドレス）と対応付けられた一括制御アドレスの設定データを記憶するデータベース９ａと、制御対象の制御アドレスと制御時間と制御状態とを少なくとも含むスケジュール情報が設定され、スケジュール情報で設定された制御時間になると制御対象を所定の制御状態で制御させるための制御依頼を出力するスケジュール処理機能９ｂと、スケジュール処理機能９ｂ又は後述のＷｅｂサーバ機能９ｅから制御依頼を受けて、この制御依頼をＮＣＵ処理機能９ｄに出力するメイン処理機能９ｃと、ＮＣＵ８との間の通信機能を有し、メイン処理機能９ｃから制御依頼が与えられると、制御アドレスがマスタ制御アドレスの場合はデータベース９ａを参照して制御対象のアドレスを取得するとともに、ＮＣＵ８に対して制御対象のアドレスに対する制御内容の実行を依頼するＮＣＵ処理機能９ｄと、中央監視装置１０に搭載されたＷｅｂブラウザからの要求に応じて、Ｗｅｂ画面などの情報を返信するＷｅｂサーバ機能９ｅとを備えている。尚、これらの各機能９ａ〜９ｅは、Ｗｅｂサーバユニット９が組み込みのプログラムを実行することによって実現されている。
【００３７】
本システムでは、Ｗｅｂサーバユニット９のスケジュール処理機能９ｂに、予めスケジュール情報が設定されており、スケジュール情報で設定された制御時間がくると、当該スケジュール情報に設定された制御アドレスを所定の制御状態で制御させるための制御依頼がメイン処理機能９ｃを介してＮＣＵ処理機能９ｄに出力される。ＮＣＵ処理機能９ｄでは、スケジュール処理機能９ｂからの制御依頼を受け、制御アドレスがマスタグループ制御アドレス或いはマスタパターン制御アドレスの場合はデータベース９ａを参照して、当該マスタグループ制御アドレス或いはマスタパターン制御アドレスに対応付けられた一括制御アドレス（グループ制御アドレス又はパターン制御アドレス）を取得し、グループ制御アドレス又はパターン制御アドレスに対する制御内容の実行をＮＣＵ８に依頼する。そしてＮＣＵ８では、Ｗｅｂサーバユニット９から一括制御アドレスに対する制御内容の実行が依頼されると、ＬＩＵ７を介して対応する多重伝送系Ｎ１，Ｎ２…の伝送ユニット１に所定の一括制御アドレスを所定の制御状態で制御させるための監視データを伝送する。伝送ユニット１には、一括制御アドレス（グループ制御アドレス又はパターン制御アドレス）とリモコンリレー６のアドレスとを対応付けた対応表が予め設定されており、ＬＩＵ７を介してＮＣＵ８から送られた一括制御アドレスを順次受信すると、対応表を参照して一括制御アドレスに対応付けられたリモコンリレー６に制御データを送信することで、複数台の制御用端末器２を一括して制御することができる。
【００３８】
ここで、Ｗｅｂサーバユニット９のデータベース９ａに、５つのグループ制御アドレスＧ１〜Ｇ５をまとめて制御するためのマスタグループ制御アドレスＭＧ１が設定され、このマスタグループ制御アドレスＭＧ１を制御アドレスとするスケジュール情報がスケジュール処理機能９ｂに設定されている状態で、このスケジュール情報からグループ制御アドレスＧ１に対するスケジュール情報が変更された場合の制御動作について図２及び図３に基づいて説明する。尚、図２はグループ制御アドレスＧ１に対するスケジュール情報を一時的に変更し、変更された一時スケジュール動作を実行するまでの動作を説明する状態遷移図である。また図３（ａ）（ｂ）はグループ制御アドレスＧ１に対するスケジュール情報を変更した後の設定データを示し、同図（ａ）は一時スケジュール情報を設定する一時スケジュール機能設定表ＴＢ４、同図（ｂ）はマスタグループ制御アドレスの設定表ＴＢ２である。また図３（ｃ）（ｄ）はグループ制御アドレスＧ１に対する一時スケジュール制御を実行した後の設定データを示し、同図（ｃ）は一時スケジュール機能設定表ＴＢ４、同図（ｂ）はマスタグループ制御アドレスの設定表ＴＢ２である。ここにおいて、一時スケジュール機能設定表ＴＢ４には、各々の一時スケジュール情報のスケジュールＮｏと、その一時スケジュール情報の有効／無効を示すデータと、変更の有無を示すデータと、制御対象のアドレスと、制御方式と、制御時間（時間）とからなるデータが設定されている。
【００３９】
初期状態（ステップＳ１）では、Ｗｅｂサーバユニット９のスケジュール処理機能９ｂには、マスタグループ制御アドレスＭＧ１に対する一時スケジュール情報No.01（制御方式がＯＮ−ＯＦＦ、制御時間が１０：００〜２０：００）のみが設定されており、その後、ステップＳ２において中央監視装置１０からの変更指示を受けて、メイン処理機能９ｃがスケジュール処理機能９ｂにグループ制御アドレスＧ１に対する制御内容を追加（制御方式がＯＮ−ＯＦＦ、制御時間が１０：００〜２２：００）すると、図３（ａ）に示すようにスケジュール処理機能９ｂに持たせた一時スケジュール機能設定表ＴＢ４に、マスタグループ制御アドレスＭＧ１に対する一時スケジュール情報No.01に加えて、グループ制御アドレスＧ１に対する一時スケジュール情報No.02が登録される。またステップＳ２においてメイン処理機能９ｃは、制御内容が変更されたグループ制御アドレスＧ１を、データベース９ａに設定されたマスタグループ制御アドレスＭＧ１の設定データから除いており（ＭＧ１＝ＭＧ１−Ｇ１）、図３（ｂ）に示すように設定表ＴＢ２においてマスタグループ制御アドレスＭＧ１にはグループ制御アドレスＧ２〜Ｇ５のみが対応付けられることになる。
【００４０】
その後、一時スケジュール情報No.01に設定された制御時間になり（ステップＳ３）、Ｗｅｂサーバユニット９のスケジュール処理機能９ｂが、マスタグループ制御アドレスＭＧ１に対して一時スケジュール情報No.01に設定された制御内容の制御依頼をメイン処理機能９ｃを介してＮＣＵ処理機能９ｄに出力すると（ステップＳ４）、ＮＣＵ処理機能９ｄではデータベース９ａを参照してマスタグループ制御アドレスＭＧ１に対応するグループ制御アドレスＧ２，Ｇ３，Ｇ４，Ｇ５を取得し（ステップＳ５，Ｓ６）、各グループ制御アドレスＧ２，Ｇ３，Ｇ４，Ｇ５に対する制御の実行をＮＣＵ８に依頼する（ステップＳ７）。なおステップＳ２の処理でマスタグループ制御アドレスＭＧ１からグループ制御アドレスＧ１が除かれているので、グループ制御アドレスＧ１はスケジュール情報No.01によっては制御されない。
【００４１】
また、一時スケジュール情報No.02に設定された制御時間になり（ステップＳ８）、Ｗｅｂサーバユニット９のスケジュール処理機能９ｂが、グループ制御アドレスＧ１に対して一時スケジュール情報No.02に設定された制御内容の制御依頼を、メイン処理機能９ｃを介してＮＣＵ処理機能９ｄに出力すると（ステップＳ９）、ＮＣＵ処理機能９ｄはグループ制御アドレスＧ１に対する制御の実行をＮＣＵ８に依頼する（ステップＳ１０）。そして、一時スケジュール情報No.02によるスケジュール制御が終了すると、メイン処理機能９ｃは、スケジュール処理機能９ｂに設定された一時スケジュール機能設定表ＴＢ４から一時スケジュール情報No.02を削除するとともに（図３（ｃ）参照）、データベース９ａに設定されたマスタグループ制御アドレスＭＧ１の設定データに、一時スケジュール情報No.02の制御対象であるグループ制御アドレスＧ１を加えて（ＭＧ１＝ＭＧ１＋Ｇ１）、スケジュール情報を変更する前の状態に戻しており、図３（ｄ）に示すようにマスタグループ制御アドレスＭＧ１にはグループ制御アドレスＧ１〜Ｇ５が対応付けられることになる。
【００４２】
このように本システムでは、Ｗｅｂサーバユニット９のスケジュール処理機能９ｂには、マスタ制御アドレス（マスタグループ制御アドレス或いはマスタパターン制御アドレスからなる）を制御アドレスとするスケジュール情報（定常的なスケジュール情報や一時スケジュール情報）を設定できるので、一括制御アドレス（グループ制御アドレス或いはパターン制御アドレスからなる）に比べて広範囲の制御対象についてスケジュール情報を設定することでスケジュール情報の数を少なくでき、設定や変更の手間を低減することができるとともに、スケジュール情報を記憶するのに必要な記憶容量を削減することができる。しかも、Ｗｅｂサーバユニット９のスケジュール処理機能９ｂでは、マスタ制御アドレスに対応付けられた一括制御アドレス（例えばマスタグループ制御アドレスＭＧ１＝Ｇ１〜Ｇ５）の内、一部の一括制御アドレス（例えばグループ制御アドレスＧ１）に対する制御内容が変更された場合、一部の一括制御アドレス（Ｇ１）に対しては変更内容に応じた一時スケジュール情報を作成して、一時スケジュール情報にしたがったスケジュール制御を行うと共に、残りの一括制御アドレス（Ｇ２〜Ｇ５）に対しては変更前のスケジュール情報にしたがったスケジュール制御を行うので、定常的なスケジュール情報が設定された制御対象の範囲（マスタ制御アドレス）に比べて、相対的に狭い一部の範囲（一括制御アドレス）について一時的なスケジュールの変更や追加に容易に対応することができる。さらに、本実施形態では、マスタ制御アドレス（ＭＧ１）の設定データから制御内容の変更された一部の一括制御アドレス（Ｇ１）を除くことで、制御内容が変更された一括制御アドレス（Ｇ１）に対しては変更前のスケジュール情報にしたがった制御を行わず、変更後のスケジュール情報にしたがった制御を行っているので、一部の一括制御アドレスに対する制御内容の変更や追加に容易に対応することができ、例えば普段はフロア全体の照明器具を点灯させるとともに、当日は一部範囲の照明器具のみを点灯させたり、点灯状態を延長或いは短縮するといった柔軟な使用方法が可能になる。
【００４３】
（実施形態２）
本発明の実施形態２を図４〜図６に基づいて説明する。尚、マスタ制御アドレスを制御アドレスとしたスケジュール情報の制御内容のうち、一部の一括制御アドレスに対する制御内容が変更された場合のスケジュール動作を除いては、実施形態１で説明した遠隔監視制御システムと構成および動作は共通するので、共通する構成要素には同一の符号を付して、その説明は省略する。
【００４４】
図４はグループ制御アドレスＧ１に対するスケジュール情報を一時的に変更し、変更された一時スケジュール動作を実行するまでの動作を説明する状態遷移図である。また図５は中央監視装置又はスケジュール処理機能９ｂからの制御要求にしたがってＮＣＵ８に制御の実行を依頼する際の処理を説明する説明図である。また図６（ａ）（ｂ）はグループ制御アドレスＧ１に対するスケジュール情報を変更した後の設定データを示し、同図（ａ）は一時スケジュール情報を設定する一時スケジュール機能設定表ＴＢ４、同図（ｂ）はマスタグループ制御アドレスの設定表ＴＢ２である。また図６（ｃ）（ｄ）はグループ制御アドレスＧ１に対する一時スケジュール制御を実行した後の設定データを示し、同図（ｃ）は一時スケジュール機能設定表ＴＢ４、同図（ｂ）はマスタグループ制御アドレスの設定表ＴＢ２である。
【００４５】
初期状態（図４のステップＳ１１）においてＷｅｂサーバユニット９のデータベース９ａには、５つのグループ制御アドレスＧ１〜Ｇ５をまとめて制御するためのマスタグループ制御アドレスＭＧ１が設定されるとともに、このマスタグループ制御アドレスＭＧ１を制御アドレスとする一時スケジュール情報No.01（制御方式がＯＮ−ＯＦＦ、制御時間が１０：００〜２０：００）がスケジュール処理機能９ｂに設定されているものとする。
【００４６】
その後、ステップＳ１２において中央監視装置１０からの変更指示を受けて、グループ制御アドレスＧ１に対する制御内容が追加（制御方式がＯＮ−ＯＦＦ、制御時間が１０：００〜２２：００）されると、Ｗｅｂサーバユニット９のメイン処理機能９ｃが、マスタグループ制御アドレスＭＧ１からグループ制御アドレスＧ１を除いた代替マスタグループ制御アドレス（以下、マスタグループ制御アドレスと略称す。）ＭＧ１’（ＭＧ１’＝ＭＧ１−Ｇ１＝Ｇ２，Ｇ３，Ｇ４，Ｇ５）を作成してデータベース９ａに登録するとともに（図６（ｂ）参照）、スケジュール処理機能９ｂに登録されている一時スケジュール情報No.01を無効にし、且つ、グループ制御アドレスＧ１に対する一時スケジュール情報No.02と、マスタグループ制御アドレスＭＧ１’に対する一時スケジュール情報No.03とをスケジュール処理機能９ｂに追加登録する（図６（ａ）参照）。尚、マスタグループ制御アドレスＭＧ１’に対する一時スケジュール情報No.03は、変更前の一時スケジュール情報No.01と制御対象が異なるだけで、それ以外の制御内容（制御方式や制御時間）はマスタグループ制御アドレスＭＧ１に対する一時スケジュール情報No.01と同じである。
【００４７】
その後、一時スケジュール情報No.01、No.03に設定された制御時間になると（ステップＳ１３）、Ｗｅｂサーバユニット９のスケジュール処理機能９ｂでは、一時スケジュール情報No.01の設定が無効になっているので、一時スケジュール情報No.03の制御のみを実行し、マスタグループ制御アドレスＭＧ１’に対して一時スケジュール情報No.03に設定された制御内容の制御依頼をメイン処理機能９ｃを介してＮＣＵ処理機能９ｄに出力する（ステップＳ１４）。この時、ＮＣＵ処理機能９ｄではデータベース９ａを参照してマスタグループ制御アドレスＭＧ１’に対応するグループ制御アドレスＧ２，Ｇ３，Ｇ４，Ｇ５を取得し（ステップＳ１５，Ｓ１６）、各グループ制御アドレスＧ２，Ｇ３，Ｇ４，Ｇ５に対する制御の実行をＮＣＵ８に依頼する（ステップＳ１７）。
【００４８】
また、一時スケジュール情報No.02に設定された制御時間になり（ステップＳ１８）、Ｗｅｂサーバユニット９のスケジュール処理機能９ｂが、グループ制御アドレスＧ１に対して一時スケジュール情報No.02に設定された制御内容の制御依頼をメイン処理機能９ｃを介してＮＣＵ処理機能９ｄに出力すると（ステップＳ１９）、ＮＣＵ処理機能９ｄはグループ制御アドレスＧ１に対する制御の実行をＮＣＵ８に依頼する（ステップＳ２０）。そして、一時スケジュール情報No.02によるスケジュール制御が終了すると、メイン処理機能９ｃは、スケジュール処理機能９ｂに持たせた一時スケジュール機能設定表ＴＢ４からグループ制御アドレスＧ１、マスタグループ制御アドレスＭＧ１’に対する一時スケジュール情報No.02、No.03を削除するとともに、マスタグループ制御アドレスＭＧ１に対する一時スケジュール情報No.01を有効とし（図６（ｃ）参照）、さらにデータベース９ａからマスタグループ制御アドレスＭＧ１’の設定を削除する（図６（ｄ）参照）。
【００４９】
また上述のようにグループ制御アドレスＧ１に対するスケジュール情報No.02が追加された状態で、スケジュール機能を用いた場合の制御と、スケジュール機能を用いない場合の制御の違いについて図５を参照して説明する。
【００５０】
ここで、スケジュール機能を用いた制御では、図４の状態遷移図を参照して説明したように、メイン処理機能９ｃがスケジュール処理機能９ｂからマスタグループ制御アドレスＭＧ１’に対する制御依頼を受け取ると（図５の処理（１））、この制御依頼をＮＣＵ処理機能９ｄへ出力し（図５の処理（２））、ＮＣＵ処理機能９ｄからデータベース９ａにマスタグループ制御アドレスＭＧ１’の内容を照会して（図５の処理（３））、その内容を取得した後（図５の処理（４））、マスタグループ制御アドレスＭＧ１’をグループ制御アドレスＧ２〜Ｇ５に展開して（図５の処理（５））、グループ制御アドレスＧ２〜Ｇ５に対する制御の実行をＮＣＵ８に要求する（図５の処理（６））。
【００５１】
一方、スケジュール機能を用いない場合の制御（例えば中央監視装置１０からの制御）において、メイン処理機能９ｃがＷｅｂサーバ機能９ｅからマスタグループ制御アドレスＭＧ１に対する制御依頼を受け取ると（処理［１］）、この制御依頼をＮＣＵ処理機能９ｄへ出力し（処理［２］）、ＮＣＵ処理機能９ｄからデータベース９ａにマスタグループ制御アドレスＭＧ１の内容を照会して（処理［３］）、その内容を取得した後（処理［４］）、マスタグループ制御アドレスＭＧ１をグループ制御アドレスＧ１〜Ｇ５に展開し（処理［５］）、グループ制御アドレスＧ１〜Ｇ５に対する制御の実行をＮＣＵ８に要求する（［６］）。したがって、グループ制御アドレスＧ１の設定変更に応じてマスタグループ制御アドレスＭＧ１’が追加登録された場合でも、スケジュール制御以外の制御では、元のままのマスタグループ制御アドレスＭＧ１に対して制御又は監視を行うことができる。
【００５２】
以上説明したように本システムでは、Ｗｅｂサーバユニット９のスケジュール処理機能９ｂには、マスタ制御アドレス（マスタグループ制御アドレス或いはマスタパターン制御アドレスからなる）を制御アドレスとするスケジュール情報（定常的なスケジュール情報や一時スケジュール情報）を設定できるので、一括制御アドレス（グループ制御アドレス或いはパターン制御アドレスからなる）に比べて広範囲の制御対象についてスケジュール情報を設定することでスケジュール情報の数を少なくでき、設定や変更の手間を低減することができるとともに、スケジュール情報を記憶するのに必要な記憶容量を削減することができる。しかも、Ｗｅｂサーバユニット９のスケジュール処理機能９ｂでは、マスタ制御アドレスに対応付けられた一括制御アドレス（例えばマスタグループ制御アドレスＭＧ１＝Ｇ１〜Ｇ５）の内、一部の一括制御アドレス（例えばグループ制御アドレスＧ１）に対する制御内容が変更された場合、一部の一括制御アドレス（Ｇ１）に対しては変更内容に応じた一時スケジュール情報を作成して、一時スケジュール情報にしたがったスケジュール制御を行うと共に、残りの一括制御アドレス（Ｇ２〜Ｇ５）に対しては変更前のスケジュール情報にしたがったスケジュール制御を行うので、定常的なスケジュール情報が設定された制御対象の範囲（マスタ制御アドレス）に比べて、相対的に狭い一部の範囲（一括制御アドレス）について一時的なスケジュールの変更や追加に容易に対応することができる。
【００５３】
さらに、Ｗｅｂサーバユニット９では、マスタ制御アドレスを制御アドレスとしたスケジュール情報の制御内容のうち一部の一括制御アドレスに対する制御内容が変更されると、当該マスタ制御アドレスの設定データから、制御内容が変更された一部の一括制御アドレスを除いた代替マスタ制御アドレスを作成してデータベース９ａに記憶させ、変更されたマスタ制御アドレスに対するスケジュール情報を無効にする一時スケジュール情報と、制御内容が変更されたマスタ制御アドレスに対するスケジュール情報と制御時間及び制御状態が同じで制御アドレスを代替マスタ制御アドレスとした一時スケジュール情報を作成し、スケジュール処理機能９ｂから、追加された一時スケジュール情報の制御依頼がメイン処理機能９ｃを介してＮＣＵ処理機能９ｄに出力されると、代替マスタ制御アドレスをデータベースから削除するとともに、上記の一時スケジュール情報により変更前のマスタ制御アドレスに対するスケジュール情報を有効にしているので、マスタ制御アドレスの設定が変更されることはない。したがって、一部の一括制御アドレスに対する制御内容が変更されても、マスタ制御アドレスの設定は変更されないため、クライアント端末（中央監視装置１０）からマスタ制御アドレスを制御アドレスとする制御依頼が入力された場合には、制御内容が変更された一部の一括制御アドレスも含めて、データベース９ａに設定された通りのマスタ制御アドレス（グループ制御アドレス又はパターン制御アドレス）に対する一括制御（グループ制御又はパターン制御）を実行することができる。
【００５４】
（実施形態３）
本発明の実施形態３を図７及び図８に基づいて説明する。尚、マスタ制御アドレスを制御アドレスとしたスケジュール情報の制御内容のうち、一部の一括制御アドレスに対する制御内容が変更された場合のスケジュール動作を除いては、実施形態１で説明した遠隔監視制御システムと構成および動作は共通するので、共通する構成要素には同一の符号を付して、その説明は省略する。
【００５５】
図７はグループ制御アドレスＧ１に対するスケジュール情報を一時的に変更し、変更された一時スケジュール動作を実行するまでの動作を説明する状態遷移図である。また図８（ａ）（ｂ）はグループ制御アドレスＧ１に対するスケジュール情報を変更した後の設定データを示し、同図（ａ）は一時スケジュール情報を設定する一時スケジュール機能設定表ＴＢ４、同図（ｂ）はマスタグループ制御アドレスの設定表ＴＢ２である。また図８（ｃ）（ｄ）はグループ制御アドレスＧ１に対する一時スケジュール制御を実行した後の設定データを示し、同図（ｃ）は一時スケジュール機能設定表ＴＢ４、同図（ｂ）はマスタグループ制御アドレスの設定表ＴＢ２である。
【００５６】
初期状態（図７のステップＳ２１）においてＷｅｂサーバユニット９のデータベース９ａには、５つのグループ制御アドレスＧ１〜Ｇ５をまとめて制御するためのマスタグループ制御アドレスＭＧ１が設定されるとともに、このマスタグループ制御アドレスＭＧ１を制御アドレスとする一時スケジュール情報No.01（制御方式がＯＮ−ＯＦＦ、制御時間が１０：００〜２０：００）がスケジュール処理機能９ｂに設定されているものとする。
【００５７】
その後、ステップＳ２２において中央監視装置１０からの変更指示を受けて、グループ制御アドレスＧ１に対する制御内容が追加（制御方式がＯＮ−ＯＦＦ、制御時間が１０：００〜２２：００）されると、Ｗｅｂサーバユニット９のメイン処理機能９ｃは、図８（ｂ）に示すようにマスタグループ制御アドレスＭＧ１からグループ制御アドレスＧ１を除いた代替マスタグループ制御アドレスＭＧ１’（ＭＧ１’＝ＭＧ１−Ｇ１＝Ｇ２，Ｇ３，Ｇ４，Ｇ５）を作成してデータベース９ａに登録するとともに（ステップＳ２３）、図８（ａ）に示すように上記の一時スケジュール情報No.01に加えて、グループ制御アドレスＧ１に対する一時スケジュール情報No.02をスケジュール処理機能９ｂに追加登録し（ステップＳ２４）、さらにＮＣＵ処理機能９ｄに対して、設定が変更されたマスタグループ制御アドレスＭＧ１に対する制御依頼が入力された場合はデータベース９ａからマスタグループ制御アドレスＭＧ１の代わりに代替マスタグループ制御アドレスＭＧ１’を参照させるよう設定する（ステップＳ２５）。
【００５８】
その後、一時スケジュール情報No.01に設定された制御時間になると（ステップＳ２６）、Ｗｅｂサーバユニット９のスケジュール処理機能９ｂでは、一時スケジュール情報No.01の設定にしたがってマスタグループ制御アドレスＭＧ１に対する制御依頼をメイン処理機能９ｃを介してＮＣＵ処理機能９ｄに出力する（ステップＳ２７）。この時、ＮＣＵ処理機能９ｄでは、上記の設定に従ってデータベース９ａから、マスタグループ制御アドレスＭＧ１の代わりにマスタグループ制御アドレスＭＧ１’に対応するグループ制御アドレスＧ２，Ｇ３，Ｇ４，Ｇ５を取得し（ステップＳ２８，Ｓ２９）、各グループ制御アドレスＧ２，Ｇ３，Ｇ４，Ｇ５に対する制御の実行をＮＣＵ８に依頼する（ステップＳ３０）。
【００５９】
また、一時スケジュール情報No.02に設定された制御時間になり（ステップＳ３１）、Ｗｅｂサーバユニット９のスケジュール処理機能９ｂが、グループ制御アドレスＧ１に対して一時スケジュール情報No.02に設定された制御内容の制御依頼をメイン処理機能９ｃを介してＮＣＵ処理機能９ｄに出力すると（ステップＳ３２）、ＮＣＵ処理機能９ｄはグループ制御アドレスＧ１に対する制御の実行をＮＣＵ８に依頼する（ステップＳ３３）。そして、一時スケジュール情報No.02によるスケジュール制御が終了すると、メイン処理機能９ｃは、スケジュール処理機能９ｂに持たせた一時スケジュール機能設定表ＴＢ４からグループ制御アドレスＧ１に対する一時スケジュール情報No.02を削除するとともに（図８（ｃ）参照）、データベース９ａからマスタグループ制御アドレスＭＧ１’の設定を削除する（図８（ｄ）参照）。
【００６０】
このように本システムでは、Ｗｅｂサーバユニット９のスケジュール処理機能９ｂには、マスタ制御アドレス（マスタグループ制御アドレス或いはマスタパターン制御アドレスからなる）を制御アドレスとするスケジュール情報（定常的なスケジュール情報や一時スケジュール情報）を設定できるので、一括制御アドレス（グループ制御アドレス或いはパターン制御アドレスからなる）に比べて広範囲の制御対象についてスケジュール情報を設定することでスケジュール情報の数を少なくでき、設定や変更の手間を低減することができるとともに、スケジュール情報を記憶するのに必要な記憶容量を削減することができる。しかも、Ｗｅｂサーバユニット９のスケジュール処理機能９ｂでは、マスタ制御アドレスに対応付けられた一括制御アドレス（例えばマスタグループ制御アドレスＭＧ１＝Ｇ１〜Ｇ５）の内、一部の一括制御アドレス（例えばグループ制御アドレスＧ１）に対する制御内容が変更された場合、一部の一括制御アドレス（Ｇ１）に対しては変更内容に応じた一時スケジュール情報を作成して、一時スケジュール情報にしたがったスケジュール制御を行うと共に、残りの一括制御アドレス（Ｇ２〜Ｇ５）に対しては変更前のスケジュール情報にしたがったスケジュール制御を行うので、定常的なスケジュール情報が設定された制御対象の範囲（マスタ制御アドレス）に比べて、相対的に狭い一部の範囲（一括制御アドレス）について一時的なスケジュールの変更や追加に容易に対応することができる。
【００６１】
さらにＷｅｂサーバユニット９のメイン処理機能９ｃでは、マスタ制御アドレスを制御アドレスとしたスケジュール情報の制御内容のうち一部の一括制御アドレスに対する制御内容が変更されると、当該マスタ制御アドレスの設定データから、制御内容が変更された一括制御アドレスを除いた代替マスタ制御アドレスを作成してデータベース９ａに記憶させるとともに、ＮＣＵ処理機能９ｄに対して、制御内容が変更されたマスタ制御アドレスに対する制御依頼が入力された場合はデータベース９ａからマスタ制御アドレスの代わりに代替マスタ制御アドレスを参照させるよう設定している。そして、スケジュール処理機能９ｂが、追加された一時スケジュール情報に応じた制御依頼を、メイン処理機能９ｃを介してＮＣＵ処理機能９ｄに出力すると、代替マスタ制御アドレスをデータベース９ａから削除するとともに、ＮＣＵ処理機能９ｄに行った代替マスタ制御アドレスの参照設定を削除しているので、一時スケジュール情報の追加、変更が少なくて済み、一時スケジュール情報を記憶するための記憶領域の使用が少なくなるから、より多くの一括制御アドレスについて一時的なスケジュールの変更や追加に対応することができる。
【００６２】
（実施形態４）
本発明の実施形態４を図９〜１２に基づいて説明する。尚、遠隔監視制御システムの構成及び動作は実施形態１〜３で説明したシステムと同様であるので、共通する構成要素には同一の符号を付して、その説明は省略する。
【００６３】
実施形態１〜３で説明した遠隔監視制御システムではＷｅｂブラウザを搭載した中央監視装置１０からＷｅｂサーバユニット９に対してスケジュール情報の変更や追加を行っており、中央監視装置１０からＷｅｂサーバユニット９に対してスケジュール情報の変更や追加を行うＷｅｂ画面を要求すると、この要求に応じたＷｅｂ画面が中央監視装置１０に返信され、当該Ｗｅｂ画面上で行ったスケジュール情報の変更や追加内容がＷｅｂサーバユニット９に入力されるようになっている。そして本実施形態では、中央監視装置１０側で、マスタ制御アドレスに対応付けられた一括制御アドレスのうち、一部の一括制御アドレスに対して制御内容の変更を入力する際に、Ｗｅｂサーバユニット９が中央監視装置１０に対して、変更対象の一括制御アドレスを対象とする１乃至複数のマスタ制御アドレスを表示させるともに、それぞれのマスタ制御アドレスから、変更対象の一括制御アドレスを除くか否かを選択するためのＷｅｂ画面を表示させている。
【００６４】
ここで、多重伝送系Ｎ１の負荷５として、図９に示すように建物の同一フロア内にある複数台の照明負荷Ｉ０１〜Ｉ２５を制御する場合を想定して説明を行う。複数台の照明負荷Ｉ０１〜Ｉ２５はマトリクス状に配置されており、実線で囲んだ範囲をそれぞれ１つのグループ（Ｇ１〜Ｇ５）として、グループ制御の対象にするとともに、破線で囲んだ範囲（ＭＧ１，ＭＧ２）をマスタグループ制御の対象としている。図１０はマスタグループ制御アドレスの設定表ＴＢ２であり、マスタグループＮｏに対応する制御グループＮｏが登録されている。ここで、マスタグループ制御アドレスＭＧ１にはグループ制御アドレスＧ１〜Ｇ５が登録され、マスタグループ制御アドレスＭＧ２にはグループ制御アドレスＧ１，Ｇ２が登録されている。また図１１はマスタグループ制御アドレスＭＧ１，ＭＧ２を制御アドレスとするスケジュール情報の設定表ＴＢ３であり、マスタグループ制御アドレスＭＧ１，ＭＧ２にはそれぞれ別個のスケジュール情報が設定されている。
【００６５】
このように、グループ制御アドレスＧ１に対して２つのマスタグループ制御アドレスＭＧ１，ＭＧ２が設定されている場合に、中央監視装置１０からグループ制御アドレスＧ１に対する制御内容を変更しようとした場合、Ｗｅｂサーバユニット９では、図１２（ａ）に示すように変更対象のグループ制御アドレスＧ１を含むマスタグループ制御アドレスＭＧ１，ＭＧ２と、これらのマスタグループ制御アドレスＭＧ１，ＭＧ２を制御対象とするスケジュール情報の内容を表示するＷｅｂ画面Ｗ１を作成して、中央監視装置１０に提示しており、個々のスケジュール情報に対応して設けた有効／無効切替ボタンＢ１，Ｂ２を中央監視装置１０側の操作者が選択すると、変更対象のグループ制御アドレスＧ１をマスタグループ制御アドレスから除くか否かを選択することができる。図１２（ｂ）はマスタグループ制御アドレスＭＧ２に対する有効／無効切替ボタンＢ２を選択操作した場合を示しており、グループ制御アドレスＧ１，Ｇ２を制御対象とするマスタグループ制御アドレスＭＧ２を除外するとともに、グループ制御アドレスＧ１に対するスケジュール情報を追加している。
【００６６】
而して、本実施形態ではクライアント端末（中央監視装置１０）から所望の一括制御アドレスに対する制御内容を変更する際に、この一括制御アドレスを対象とするマスタ制御アドレスをクライアント端末に表示させるとともに、変更対象の一括制御アドレスをマスタ制御アドレスから除くか否かを選択させるためのＷｅｂ画面をクライアント端末に表示させているので、制御内容を変更する一括制御アドレスがどのマスタ制御アドレスの対象であるかを容易に把握でき、制御内容の変更によって実際にどのような制御が行われるかを理解しやすくできる。また制御内容を変更した一括制御アドレスが複数のマスタ制御アドレスの対象である場合は、それぞのマスタ制御アドレスから制御内容を変更した一括制御アドレスを除くか否かを選択できるので、使い勝手が向上するという効果もある。
【図面の簡単な説明】
【００６７】
【図１】実施形態１の遠隔監視制御システムの概略構成図である。
【図２】同上のスケジュール動作を説明する状態遷移図である。
【図３】同上の設定データを示し、（ａ）（ｃ）は一時スケジュール機能設定表、（ｂ）（ｄ）はマスタグループ制御アドレスの設定データを示す設定表である。
【図４】実施形態２の遠隔監視制御システムのスケジュール動作を説明する状態遷移図である。
【図５】同上の動作を説明する説明図である。
【図６】同上の設定データを示し、（ａ）（ｃ）は一時スケジュール機能設定表、（ｂ）（ｄ）はマスタグループ制御アドレスの設定データを示す設定表である。
【図７】実施形態３の遠隔監視制御システムのスケジュール動作を説明する状態遷移図である。
【図８】同上の設定データを示し、（ａ）（ｃ）は一時スケジュール機能設定表、（ｂ）（ｄ）はマスタグループ制御アドレスの設定データを示す設定表である。
【図９】実施形態４の遠隔監視制御システムで設定されたグループ制御アドレス及びマスタグループ制御アドレスによる制御範囲の説明図である。
【図１０】同上のマスタグループ制御アドレスの設定データを示す設定表である。
【図１１】同上のスケジュール情報が設定されたスケジュール機能設定表である。
【図１２】（ａ）（ｂ）はクライアント端末に表示させる画面の例図である。
【図１３】従来の遠隔監視制御システムの概略構成図である。
【図１４】（ａ）（ｂ）は同上に用いる伝送信号の説明図である。
【図１５】従来の別の遠隔監視制御システムの概略構成図である。
【図１６】同上によるグループ制御の対象範囲を示す説明図である。
【図１７】（ａ）は同上の伝送ユニットに設定されたグループ制御の設定表を示す説明図、（ｂ）は同上のＷｅｂサーバユニットに設定されたマスタグループ制御の設定表を示す説明図である。
【図１８】（ａ）は同上のＷｅｂサーバユニットに設定されたスケジュール機能設定表の説明図、（ｂ）はＷｅｂサーバユニットに設定された一時スケジュール機能設定表の説明図である。
【図１９】（ａ）は同上のＷｅｂサーバユニットに設定されたスケジュール機能設定表の説明図、（ｂ）はＷｅｂサーバユニットに設定された一時スケジュール機能設定表の説明図である。
【図２０】（ａ）は同上のＷｅｂサーバユニットに設定されたスケジュール機能設定表の説明図、（ｂ）はＷｅｂサーバユニットに設定された一時スケジュール機能設定表の説明図である。
【符号の説明】
【００６８】
１  伝送ユニット
２  制御用端末器
３  監視用端末器
４  操作スイッチ
５  負荷
６  リモコンリレー
７  ＬＩＵ（ローカルインタフェースユニット）
８  ＮＣＵ（ネットワークコントローラ）
９  Ｗｅｂサーバユニット
９ａ  データベース
９ｂ  スケジュール処理機能
９ｃ  メイン処理機能
９ｄ  ＮＣＵ処理機能
９ｅ  Ｗｅｂサーバ機能
１０  中央監視装置（クライアント端末）
Ｌ１  伝送線
Ｌ２  ローカルバス
Ｎ１，Ｎ２  多重伝送系
【図１】
0004966253.tif 000002
【図２】
0004966253.tif 000003
【図３】
0004966253.tif 000004
【図４】
0004966253.tif 000005
【図５】
0004966253.tif 000006
【図６】
0004966253.tif 000007
【図７】
0004966253.tif 000008
【図８】
0004966253.tif 000009
【図９】
0004966253.tif 000010
【図１０】
0004966253.tif 000011
【図１１】
0004966253.tif 000012
【図１２】
0004966253.tif 000013
【図１３】
0004966253.tif 000014
【図１４】
0004966253.tif 000015
【図１５】
0004966253.tif 000016
【図１６】
0004966253.tif 000017
【図１７】
0004966253.tif 000018
【図１８】
0004966253.tif 000019
【図１９】
0004966253.tif 000020
【図２０】
0004966253.tif 000021